(57)【要約】【課題】  発光素子の順電圧特性に応じて回路構成が異なるのみならず、配線基板の配線パターンも異なることによって照明装置のコストが高くなること。【解決手段】  直流電源に接続される第１，第２の電源接続部Ａ，Ｂを有し、この第１，第２の電源接続部との間に、直列接続された複数の発光素子よりなる第１の回路部Ｃ１と第１の端子部Ｔ１とを直列的に接続すると共に、第２の端子部Ｔ２と直列接続された複数の発光素子よりなる第２の回路部Ｃ２とを直列的に接続し、かつ第１の端子部と第２の端子部との間に第３の端子部Ｔ３を接続してなり、前記第１〜第３の端子部に抵抗器Ｒ１〜Ｒ３を選択的に接続する。【選択図】  図１
2009059636.tif 000002
【特許請求の範囲】
【請求項１】
直流電源に接続される第１，第２の電源接続部を有し、この第１，第２の電源接続部との間に、直列接続された複数の発光素子よりなる第１の回路部と第１の端子部とを直列的に接続すると共に、第２の端子部と直列接続された複数の発光素子よりなる第２の回路部とを直列的に接続し、かつ第１の端子部の第１の回路部側と第２の端子部の第２の回路部側との間に第３の端子部を接続してなり、前記第１〜第３の端子部に抵抗器を選択的に接続することを特徴とする照明装置。
【請求項２】
直流電源に接続される第１，第２の電源接続部を有し、この第１，第２の電源接続部との間に、直列接続された複数の発光素子よりなる第１の回路部と第１の端子部とを直列的に接続すると共に、第２の端子部と直列接続された複数の発光素子よりなる第２の回路部とを直列的に接続し、かつ第１の端子部の第１の回路部側と第２の端子部の第２の回路部側との間に第３の端子部を接続してなり、この基本の回路ユニットの複数ユニットを第１，第２の電源接続部との間に、並列的に接続し、それぞれのユニットにおける第１〜第３の端子部に抵抗器を選択的に接続することを特徴とする照明装置。
【請求項３】
直流電源に接続される第１，第２の電源接続部を有し、この第１，第２の電源接続部との間に、直列接続された複数の発光素子よりなる第１の回路部と第１の端子部とを直列的に接続すると共に、第２の端子部と直列接続された複数の発光素子よりなる第２の回路部とを直列的に接続し、かつ第１の端子部の第１の回路部側と第２の端子部の第２の回路部側との間に第３の端子部を接続してなり、前記第１及び第２の端子部に抵抗器を接続することを特徴とする請求項１〜２に記載する照明装置。
【請求項４】
直流電源に接続される第１，第２の電源接続部を有し、この第１，第２の電源接続部との間に、直列接続された複数の発光素子よりなる第１の回路部と第１の端子部とを直列的に接続すると共に、第２の端子部と直列接続された複数の発光素子よりなる第２の回路部とを直列的に接続し、かつ第１の端子部の第１の回路部側と第２の端子部の第２の回路部側との間に第３の端子部を接続してなり、前記第３の端子部にのみ抵抗器を接続することを特徴とする請求項１〜２に記載する照明装置。
【請求項５】
前記第１の回路部及び第２の回路部における発光素子の接続数がほぼ同一に設定されていることを特徴とする請求項１〜４に記載の照明装置。
【請求項６】
前記第１及び第２の端子部に接続される抵抗器の抵抗値がほぼ同程度に設定されていることを特徴とする請求項３に記載の照明装置。
【請求項７】
前記第３の端子部に接続される抵抗器の抵抗値は第１，第２の端子部に接続される抵抗器の抵抗値とは異なった値に設定されていることを特徴とする請求項４に記載の照明装置。
【請求項８】
前記発光素子が発光ダイオードであることを特徴とする請求項１〜７に記載の照明装置。
【請求項９】
前記抵抗器がチップ形であることを特徴とする請求項１〜７に記載の照明装置。
【請求項１０】
配線基板に直流電源に接続される第１，第２の電源接続部を有し、この第１，第２の電源接続部との間に、複数の発光素子が直列的に接続される複数の端子部を有する第１の回路部と第１の端子部との直列回路及び第２の端子部と複数の発光素子が直列的に接続される複数の端子部を有する第２の回路部との直列回路を構成する配線パターンが形成されており、かつ第１の端子部の第１の回路部側と第２の端子部の第２の回路部側との間に第３の端子部が接続される配線パターンが形成されていることを特徴とする照明装置用の配線基板構体。
【請求項１１】
前記基本の回路ユニットの複数ユニットが第１，第２の電源接続部との間に並列的に接続されていることを特徴とする請求項１０に記載の照明装置用の配線基板構体。
【請求項１２】
前記第１〜第３の端子部が表面実装可能なランド部に構成されていることを特徴とする請求項１０に記載の照明装置用の配線基板構体。
【請求項１３】
前記第１〜第３の端子部が互いに隣接して形成されていることを特徴とする請求項１０に記載の照明装置用の配線基板構体。
【請求項１４】
前記第１，第２の回路部を構成する対応部分には、発光素子をマウントするためのスルーホールが形成されていることを特徴とする請求項１０に記載の照明装置用の配線基板構体。
【請求項１５】
前記配線基板は変形困難又は変形可能な素材にて構成されていることを特徴とする請求項１０に記載の照明装置用の配線基板構体。
【発明の詳細な説明】
【技術分野】
【０００１】
本発明は、例えばＣＣＤ（電荷結合素子）からの画像データを処理することにより製品の表面検査，位置決めなどを行うシステム・装置や実体顕微鏡の試料照明或いは一般照明などに適用される照明装置及び照明装置に適用される配線基板構体の改良に関する。
【背景技術】
【０００２】
一般に、製品の表面検査や製造過程における組立部品などの位置決めなどを行う場合には、製品や組立部品などからの画像情報を取り込むために、照明装置が用いられている。例えば製品の表面検査を行う場合には、被検査製品に照明装置からの光を照射し、被検査製品をＣＣＤによって撮像し、その画像データを基準データと比較することによって被検査製品の表面状態（傷，変形の有無など）が検査される。
このような用途に適用される照明装置としては、例えば図５に示す構造の照明装置ＦＡが提案されている（特許第２９７５８９３号参照）。この照明装置ＦＡは、ケース本体Ｆａ，環状のカバーＦｂよりなる照明ケースＦＢに照明部ＦＣを配置することによって構成されている。照明部ＦＣは、屈曲可能な配線基板Ｐに複数の発光素子（例えば発光ダイオード）Ｄ１を配置し、発光ダイオードＤ１のリードとこのリードに対応する配線基板Ｐの導電ランド（端子部）とを半田付けし、配線基板Ｐの両端を、切頭円錐凹面に発光ダイオードＤ１が位置するように接合又は近接保持して構成されている。尚、カバーＦｂの側面からは配線基板Ｐに給電するための電源線Ｌが引き出されている。
【０００３】
この照明装置ＦＡにおいて、照明部ＦＣは、展開状態の配線基板Ｐに複数の発光ダイオードＤ１を配置すると共に、発光ダイオードＤ１のリードとこのリードに対応する配線基板Ｐの導電ランドとをすべて半田付けし、然る後に、配線基板Ｐの両端を、切頭円錐凹面に発光ダイオードＤ１が位置するように接合又は近接保持することによって製造されている。
【発明の開示】
【発明が解決しようとする課題】
【０００４】
ところで、この照明装置ＦＡの回路構成は、例えば図６又は図７に示すように構成されている。図６の回路は、例えば１２Ｖの直流電源に接続される第１，第２の電源接続部Ａ，Ｂの間に、順電圧Ｖｆが１．８５Ｖ程度の赤色系などの発光ダイオードＤ１ａ〜Ｄ１ｆと抵抗器Ｒａとの直列回路が接続して構成されている。
又、図７の回路は、例えば１２Ｖの直流電源に接続される第１，第２の電源接続部Ａ，Ｂの間に、順電圧Ｖｆが３．６Ｖ程度の白色系，青色系，緑色系，電球色系などの発光ダイオードＤ１ａ〜Ｄ１ｃと抵抗器Ｒｂとの直列回路が並列的に接続して構成されている。尚、図６，図７のいずれの回路においても、これらの回路を基本ユニットとして複数の回路ユニットが並列的に接続されている。
このように照明装置の回路構成は、照明装置の使用目的によって適用する発光ダイオードの順電圧Ｖｆが異なることから、複数の発光ダイオードが、直流電源の電源電圧との関係において、直列的或いは並列的に接続される。
【０００５】
これらの回路は、配線基板Ｐにそれぞれの回路に対応する配線パターンを形成することによって構成される。従って、配線基板Ｐのサイズが仮に同じであっても、使用目的によっては順電圧Ｖｆの異なる発光ダイオードが適用されることがある。
このような場合には、基板サイズが同じであっても、２種類の配線パターンを有する配線基板Ｐを製造しなければならず、基板コストのみならず、照明装置が高価になるという問題がある。又、使用目的によっては順電圧Ｖｆの異なる発光ダイオードが使用されることから、基板サイズに関係なく、常に２種類の配線パターンを有する配線基板Ｐを製造しなければならないために、コストの問題のみならず、基板設計が煩雑になるという問題もある。
それ故に、本発明の目的は、異なる順電圧特性を有する発光素子にも適用可能な共通の回路を備えた照明装置及びそのような回路を配線基板に具現化した照明装置用の配線基板構体を提供することである。
【課題を解決するための手段】
【０００６】
従って、本発明は上述の目的を達成するために、直流電源に接続される第１，第２の電源接続部を有し、この第１，第２の電源接続部との間に、直列接続された複数の発光素子よりなる第１の回路部と第１の端子部とを直列的に接続すると共に、第２の端子部と直列接続された複数の発光素子よりなる第２の回路部とを直列的に接続し、かつ第１の端子部の第１の回路部側と第２の端子部の第２の回路部側との間に第３の端子部を接続してなり、前記第１〜第３の端子部に抵抗器を選択的に接続することを特徴とする。
【０００７】
又、本発明の第２の発明は、直流電源に接続される第１，第２の電源接続部を有し、この第１，第２の電源接続部との間に、直列接続された複数の発光素子よりなる第１の回路部と第１の端子部とを直列的に接続すると共に、第２の端子部と直列接続された複数の発光素子よりなる第２の回路部とを直列的に接続し、かつ第１の端子部の第１の回路部側と第２の端子部の第２の回路部側との間に第３の端子部を接続してなり、この基本の回路ユニットの複数ユニットを第１，第２の電源接続部との間に、並列的に接続し、それぞれのユニットにおける第１〜第３の端子部に抵抗器を選択的に接続することを特徴とする。
【０００８】
又、本発明の第３の発明は、直流電源に接続される第１，第２の電源接続部を有し、この第１，第２の電源接続部との間に、直列接続された複数の発光素子よりなる第１の回路部と第１の端子部とを直列的に接続すると共に、第２の端子部と直列接続された複数の発光素子よりなる第２の回路部とを直列的に接続し、かつ第１の端子部の第１の回路部側と第２の端子部の第２の回路部側との間に第３の端子部を接続してなり、前記第１及び第２の端子部に抵抗器を接続することを特徴とし、第４の発明は、直流電源に接続される第１，第２の電源接続部を有し、この第１，第２の電源接続部との間に、直列接続された複数の発光素子よりなる第１の回路部と第１の端子部とを直列的に接続すると共に、第２の端子部と直列接続された複数の発光素子よりなる第２の回路部とを直列的に接続し、かつ第１の端子部の第１の回路部側と第２の端子部の第２の回路部側との間に第３の端子部を接続してなり、前記第３の端子部にのみ抵抗器を接続することを特徴とする。
【０００９】
又、本発明の第５の発明は、前記第１の回路部及び第２の回路部における発光素子の接続数がほぼ同一に設定されていることを特徴とし、第６の発明は、前記第１及び第２の端子部に接続される抵抗器の抵抗値がほぼ同程度に設定されていることを特徴とし、第７の発明は、前記第３の端子部に接続される抵抗器の抵抗値は第１，第２の端子部に接続される抵抗器の抵抗値とは異なった値に設定されていることを特徴とし、第８の発明は、前記発光素子が発光ダイオードであることを特徴とし、第９の発明は、前記抵抗器がチップ形であることを特徴とする。
【００１０】
又、本発明の第１０の発明は、配線基板に直流電源に接続される第１，第２の電源接続部を有し、この第１，第２の電源接続部との間に、複数の発光素子が直列的に接続される端子部を有する第１の回路部と第１の端子部との直列回路及び第２の端子部と複数の発光素子が直列的に接続される端子部を有する第２の回路部との直列回路を構成する配線パターンが形成されており、かつ第１の端子部の第１の回路部側と第２の端子部の第２の回路部側との間に第３の端子部が接続される配線パターンが形成されていることを特徴とし、第１１の発明は、前記基本の回路ユニットの複数ユニットが第１，第２の電源接続部との間に並列的に接続されていることを特徴とする。
【００１１】
さらに、本発明の第１２の発明は、前記第１〜第３の端子部が表面実装可能なランド部に構成されていることを特徴とし、第１３の発明は、前記第１〜第３の端子部が互いに隣接して形成されていることを特徴とし、第１４の発明は、前記第１，第２の回路部を構成する対応部分には、発光素子をマウントするためのスルーホールが形成されていることを特徴とし、第１５の発明は、前記配線基板は変形困難又は変形可能な素材にて構成されていることを特徴とする。
【発明の効果】
【００１２】
このように本発明によれば、発明の基本的な回路は、直流電源に接続される第１，第２の電源接続部との間に、直列接続された複数の発光素子よりなる第１の回路部と第１の端子部とを直列的に接続すると共に、第２の端子部と直列接続された複数の発光素子よりなる第２の回路部とを直列的に接続し、かつ第１の端子部の第１の回路部側と第２の端子部の第２の回路部側との間に第３の端子部を接続して構成されていることから、発光素子の順電圧が低い場合には第３の端子部にのみ抵抗器を接続することによって第１，第２の回路部の発光素子を直列的に接続でき、発光素子の順電圧が高い場合には第１及び第２の端子部にほぼ同程度の抵抗値を有する抵抗器を接続することによって第１，第２の回路部の発光素子を並列的に接続できる。従って、仮に、適用される発光素子の順電圧特性が異なっても、第１〜第３の端子部に適宜の抵抗値を有する抵抗器を選択的に接続することにより、所望の照明回路を実現できる。このために、発光素子の順電圧特性に左右されることなく、共通の照明回路を適用することができる上、回路設計が容易になり、照明装置のコストを効果的に低減できる。
【００１３】
又、上述のように、本発明における基本の回路ユニットは、使用目的，用途などに応じて複数の回路ユニットを第１，第２の電源接続部に接続することができるために、回路構成を単純化でき、生産性を改善できるし、共通の回路構成にできることから生産管理を容易に行うことができる。
又、第１，第２の端子部に接続される抵抗器は、それぞれの抵抗値がほぼ同程度に設定されているために、第１，第２の回路部が第１，第２の電源接続部に並列的に接続された場合、それぞれの回路の特性バランスを適正に保つことが可能になる。
【００１４】
又、本発明の配線基板構体は、配線基板に直流電源に接続される第１，第２の電源接続部が形成されており、この第１，第２の電源接続部との間に、複数の発光素子が直列的に接続される複数の端子部を有する第１の回路部と第１の端子部との直列回路及び第２の端子部と複数の発光素子が直列的に接続される複数の端子部を有する第２の回路部との直列回路を構成する配線パターンが形成されており、かつ第１の端子部の第１の回路部側と第２の端子部の第２の回路部側との間に第３の端子部が接続される配線パターンが形成されているために、使用目的などによって第１，第２の回路部における端子部に実装される発光素子が、例えば低い順電圧から高い順電圧特性を有する発光素子に変更されても、第１〜第３の端子部に抵抗器を選択的に接続することにより、容易に対応することができる。従って、発光素子の順電圧特性に左右されることのない共通の配線回路パターンを採用できることから、基板構体の構成を単純化でき、基板設計を簡略化できるのみならず、基板構体のコストも効果的に低減できる。
【００１５】
特に、本発明の基板構体において、第１〜第３の端子部は互いに隣接して配置されているために、配線パターンを効率的に形成することが可能になり、基板構体のコスト低減に貢献できる。又、第１〜第３の端子部をランド部に構成すれば、チップ形の抵抗器の適用が可能になり、パターン設計を簡略化できる。
【発明を実施するための最良の形態】
【００１６】
次に、本発明装置における基本の回路ユニットの実施例について図１を参照して説明する。同図において、Ａ，Ｂは、例えば電源電圧が１２Ｖの直流電源に接続される第１，第２の電源接続部で、例えば適宜のパターンで印刷配線されている。この第１，第２の電源接続部Ａ，Ｂの間には、直列接続された複数の発光素子（例えば発光ダイオード）Ｄ１ａ，Ｄ１ｂ，Ｄ１ｃよりなる第１の回路部Ｃ１と第１の端子部Ｔ１とが直列的に接続されていると共に、第２の端子部Ｔ２と直列接続された複数の発光素子（例えば発光ダイオード）Ｄ２ａ，Ｄ２ｂ，Ｄ２ｃよりなる第２の回路部Ｃ２とが直列的に接続されている。又、第１の端子部Ｔ１と第１の回路部Ｃ１との接続側と、第２の端子部Ｔ２と第２の回路部Ｃ２との接続側との間には第３の端子部Ｔ３が接続されている。これらの端子部Ｔ１，Ｔ２，Ｔ３は、例えば導電ランド部Ｔ１ａ，Ｔ１ｂ，Ｔ２ａ，Ｔ２ｂ，Ｔ３ａ，Ｔ３ｂによって構成されているが、スルーホール構成にすることもできる。特に、第１〜第３の端子部Ｔ１〜Ｔ３には後述する抵抗器が、発光素子の順電圧特性に応じて選択的に接続される。尚、通常は、この基本の回路ユニットの複数が第１，第２の電源接続部Ａ，Ｂに並列的に接続される。
【００１７】
図２は、例えば第１の回路部Ｃ１における発光素子Ｄ１ａ〜Ｄ１ｃ及び第２の回路部Ｃ２における発光素子Ｄ２ａ〜Ｄ２ｃの順電圧Ｖｆが３．６Ｖ程度と高い場合の実施例である。第１の端子部Ｔ１及び第２の端子部Ｔ２（具体的には、例えば導電ランド部Ｔ１ａ，Ｔ１ｂ及びＴ２ａ，Ｔ２ｂ）には、ほぼ同程度の抵抗値（例えば６０Ω程度）に設定された抵抗器Ｒ１及び抵抗器Ｒ２が接続されている。尚、第３の端子部Ｔ３には抵抗器は接続されず、開放状態になっている。
この状態において、第１，第２の電源接続部Ａ，Ｂには、第１の回路部Ｃ１と抵抗器Ｒ１との直列回路及び抵抗器Ｒ２と第２の回路部Ｃ２との直列回路がそれぞれ並列的に接続されている。第１，第２の電源接続部Ａ，Ｂに例えば１２Ｖの直流電圧が印加されると、それぞれの発光素子は動作し、白色，青色，緑色など所定の発光色を呈する。
【００１８】
図３は、例えば第１の回路部Ｃ１における発光素子Ｄ１ａ〜Ｄ１ｃ及び第２の回路部Ｃ２における発光素子Ｄ２ａ〜Ｄ２ｃの順電圧Ｖｆが１．８５Ｖ程度と低い場合の実施例である。第３の端子部Ｔ３（具体的には、例えば導電ランド部Ｔ３ａ，Ｔ３ｂ）には、抵抗器Ｒ１，Ｒ２とは異なった抵抗値（例えば４５Ω程度）に設定された抵抗器Ｒ３が接続されている。尚、第１，第２の端子部Ｔ１，Ｔ２には抵抗器Ｒ１，Ｒ２は接続されず、開放状態になっている。
この状態において、第１，第２の電源接続部Ａ，Ｂには、第１の回路部Ｃ１と抵抗器Ｒ３と第２の回路部Ｃ２とが直列的に接続されている。第１，第２の電源接続部Ａ，Ｂに例えば１２Ｖの直流電圧が印加されると、それぞれの発光素子は動作し、赤色など所定の発光色を呈する。
【００１９】
上述のように照明装置を構成することにより、それぞれの回路部に組み込まれる発光素子が、順電圧Ｖｆの低い発光素子から高い発光素子に、或いはその逆に変更されたとしても、第１〜第３の端子部Ｔ１〜Ｔ３に抵抗器Ｒ１〜Ｒ３を選択的に接続することにより、照明回路に何らの変更を加えることなく所望の照明回路を構成できる上に、回路構成の単純化により装置のコスト低減を実現できるという効果が期待できる。
特に、第１の回路部Ｃ１及び第２の回路部Ｃ２において、それぞれの発光素子の接続数はほぼ同数に設定されているために、発光素子の順電圧によって、図２に示すように第１の回路部Ｃ１及び第２の回路部Ｃ２が並列的に接続されても、それぞれの回路にバランスよく電流が流れ、それぞれの発光素子が適切に動作するという効果が期待できる。
尚、第１，第２の回路部Ｃ１，Ｃ２は、それぞれ３個の発光素子が互いに直列接続されているが、使用目的，用途などによっては発光素子の接続数を適宜に増減できる。又、第１，第２の電源接続部Ａ，Ｂに印加される直流電圧によっても、発光素子の接続数は変更されるし、直列的に接続される抵抗器の抵抗値も適宜に変更されるものである。
【００２０】
上述の照明装置に適用される配線基板構体について図４を参照して説明する。同図（ａ）は配線基板Ｐの一方の面Ｐａに形成された配線パターンを示しており、同図（ｂ）は配線基板Ｐの他方の面Ｐｂに形成された配線パターンを、配線基板Ｐの一方の面Ｐａから透視した状態を実線で示している。
図において、配線基板Ｐは変形困難又は変形可能な部材にて構成されており、一方の面Ｐａには第１の電源接続部Ａが形成されており、その隣接部分にはスルーホール１ａ〜６ａ，１ｂ〜６ｂを有する導電ランド部が形成されている。スルーホール１ｂ，２ａを有する導電ランド部及びスルーホール２ｂ，３ａを有する導電ランド部はそれぞれ接続配線部７，７によって接続されている。又、スルーホール３ｂを有する導電ランド部と導電ランド部８とは接続配線部７によって接続されている。尚、スルーホール１ａを有する導電ランド部は第１の電源接続部Ａに接続されている。
配線基板Ｐの他方の面Ｐｂには第２の電源接続部Ｂが形成されており、スルーホール２ａ〜５ａに隣接する部分には第１〜第３の端子部Ｔ１〜Ｔ３を構成するランド部（導電ランド部）Ｔ１ａ，Ｔ１ｂ，Ｔ２ａ，Ｔ２ｂ，Ｔ３ａ，Ｔ３ｂが形成されている。導電ランド部８は導電ランド部８ａに電気的に接続されており、導電ランド部８ａは第３の端子部Ｔ３における導電ランド部Ｔ３ａ及び第１の端子部Ｔ１における導電ランド部Ｔ１ａに電気的に接続されている。スルーホール４ａを有する導電ランド部は第２の端子部Ｔ２における導電ランド部Ｔ２ａ及び第３の端子部Ｔ３における導電ランド部Ｔ３ｂに電気的に接続されている。尚、第１の端子部Ｔ１における導電ランド部Ｔ１ｂは第２の電源接続部Ｂに電気的に接続されている。又、第１〜第３の端子部Ｔ１〜Ｔ３を構成するそれぞれの導電ランド部Ｔ１ａ〜Ｔ３ａ，Ｔ１ｂ〜Ｔ３ｂは互いに隣接するように配置されている。尚、第２の端子部Ｔ２における導電ランド部Ｔ２ｂは導電ランド部９を介して第１の電源接続部Ａに電気的に接続されている。
【００２１】
このように構成された配線基板Ｐには、それの他方の面Ｐｂ側に第１，第２の回路部Ｃ１，Ｃ２を構成する複数の発光素子Ｄ１ａ〜Ｄ１ｃ，Ｄ２ａ〜Ｄ２ｃ及び抵抗器Ｒ１〜Ｒ３のいずれかの抵抗器が実装される。具体的には、複数の発光素子Ｄ１ａ〜Ｄ１ｃ，Ｄ２ａ〜Ｄ２ｃはそれぞれの対をなすリード（図示せず）を対をなすスルーホール１ａと１ｂ，２ａと２ｂ，３ａと３ｂ，４ａと４ｂ，５ａと５ｂ，６ａと６ｂに挿入し、一方の面Ｐａ側における導電ランド部と対応するリードとを半田付けすることによって行われる。又、抵抗器Ｒ１〜Ｒ３は発光素子の順電圧によって決定されるいずれかの抵抗器が対応する端子部（Ｔ１〜Ｔ３のいずれか）の導電ランド部（Ｔ１ａとＴ１ｂ，Ｔ２ａとＴ２ｂ，Ｔ３ａとＴ３ｂのいずれか）に接着剤などを利用して仮止めし、抵抗器の端子と導電ランド部とを半田付けすることによって行われる。
【００２２】
この配線基板構体によれば、発光素子の配線基板Ｐへの実装は発光素子の順電圧Ｖｆに関係なく行い、発光素子の順電圧Ｖｆが例えば３．６Ｖ程度に高い場合には、第１,第２の端子部Ｔ１，Ｔ２に対応する導電ランド部Ｔ１ａとＴ１ｂ，Ｔ２ａとＴ２ｂに抵抗器Ｒ１，Ｒ２を実装し、発光素子の順電圧Ｖｆが例えば１．８５Ｖ程度に低い場合には、第３の端子部Ｔ３に対応する導電ランド部Ｔ３ａとＴ３ｂに第３の抵抗器Ｒ３を実装することによって行われる。従って、共通の回路構成を有する基板構体の実現より第１〜第３の端子部Ｔ１〜Ｔ３に抵抗器Ｒ１〜Ｒ３を選択的に実装することにより、順電圧特性の異なる発光素子へも適切に対応することができる。
特に、抵抗器Ｒ１〜Ｒ３が実装される第１〜第３の端子部Ｔ１〜Ｔ３は、互いに隣接するように配置されているために、手動による実装の際に、誤実装を軽減できるのみならず、機械実装の場合でも実装アームの動作を単純化でき、実装性を高めることができる。
【００２３】
尚、本発明は何ら上記実施例に制約されることなく、本発明の主旨を逸脱しない範囲内において適宜に変更することが可能である。例えば発光素子は発光ダイオード以外の素子も適用可能であるし、リード形の他、表面実装できる端子形も利用可能である。又、抵抗器も表面実装できる端子形の他、リード形も利用可能である。又、図示例の配線基板は細長く構成されているが、用途などによっては、縦横の長さが近似したものや円形など任意の形態に構成できるし、基板に変形可能な素材を使用することによって円筒形，切頭円錐形など適宜の形状に構成でき、多様な用途への対応を可能にできる。さらに、図示例の基板構体は、発光素子が一列に配列されるように構成されているが、複数列に配列されるように構成することもできる。
【図面の簡単な説明】
【００２４】
【図１】本発明の基本の回路例を示す電気回路図である。
【図２】図１の第１の使用例を示す電気回路図である。
【図３】図１の第２の使用例を示す電気回路図である。
【図４】本発明にかかる配線基板構体を示す図であって、同図（ａ）は平面図、同図（ｂ）は同図（ａ）の表面側から裏面側を透視した状態を示す平面図である。
【図５】従来の照明装置を示す断面図である。
【図６】図５に適用される第１の使用例を示す電気回路図である。
【図７】図５に適用される第２の使用例を示す電気回路図である。
【符号の説明】
【００２５】
Ａ    第１の電源接続部
Ｂ    第２の電源接続部
Ｃ１  第１の回路部
Ｃ２  第２の回路部
Ｄ１〜Ｄ２  発光素子
Ｔ１〜Ｔ３  第１〜第３の端子部
Ｔ１ａ〜Ｔ３ａ，Ｔ１ｂ〜Ｔ３ｂ  ランド部
Ｐ    配線基板
１ａ〜６ａ，１ｂ〜６ｂ    スルーホール
７    接続配線部
８，８ａ，９  導電ランド部
【図１】
2009059636.tif 000003
【図２】
2009059636.tif 000004
【図３】
2009059636.tif 000005
【図４】
2009059636.tif 000006
【図５】
2009059636.tif 000007
【図６】
2009059636.tif 000008
【図７】
2009059636.tif 000009